(57)【要約】【課題】低コストで導入することができ、人的ミスの発生を防止するとともに作業時間を減らすことができる現金集配送管理システム等を提供する。【解決手段】専用カバン４にＩＣタグ５を付し、専用カバン４の出庫と入庫の際は、リーダライタ１５は出庫した専用カバン４のＩＣタグ５の一括読取を行う。そして、リーダライタ１５は出庫予定個数と読取件数が一致するかどうか確認する。また、サーバ１３は入庫した専用カバン４の管理Ｎｏ５２のリストと入庫予定の専用カバン４の管理Ｎｏ５２のリストを照合し、端末１１は照合結果から過不足のある専用カバン４の管理Ｎｏ５２を表示する。【選択図】図３
2008242560.tif 000002
【特許請求の範囲】
【請求項１】
少なくとも１つの端末とサーバとがネットワークに接続され、ＩＣタグが付された専用カバンとリーダライタとを用いて現金の集配送を管理する現金集配送管理システムであって、
前記リーダライタは、
前記ＩＣタグに前記専用カバンを一意に識別する管理番号を書き込む手段と、
前記専用カバンの出庫の際、前記専用カバンに付された前記ＩＣタグを一括で読み取り、読み取った前記管理番号の件数と前記端末を介して前記サーバから取得した出庫予定個数が一致するかどうかを確認する手段と、
を具備することを特徴とする現金集配送管理システム。
【請求項２】
前記端末は、
前記専用カバンの入庫の際、入庫した前記専用カバンの前記管理番号のリストを前記リーダライタから取得し、前記サーバに送信する手段、
を具備し、
前記サーバは、
入庫した前記専用カバンの前記管理番号のリストと入庫予定の前記専用カバンの前記管理番号のリストとを照合する手段、
を具備し、
前記端末は、
照合結果から過不足のある前記専用カバンの前記管理番号を表示する手段、
を更に具備することを特徴とする請求項１に記載の現金集配送管理システム。
【請求項３】
前記サーバは、
前記専用カバンが出庫されたことを示す出庫明細情報と、前記専用カバンを受取ったことを示す受取明細情報と、前記専用カバンが入庫されたことを示す入庫明細情報と、を保持する手段と、
前記出庫明細情報、前記受取明細情報、前記入庫明細情報から出庫数、受取数、入庫数を集計する手段と、
を具備し、
前記端末は、
前記出庫数、前記受取数、前記入庫数が全て一致するかどうかを表示する手段、
を更に具備することを特徴とする請求項１または請求項２に記載の現金集配送管理システム。
【請求項４】
前記端末は、
前記専用カバンの前記管理番号ごとに出庫、受取、入庫が行われたかどうかを表示する手段、
を更に具備することを特徴とする請求項３に記載の現金集配送管理システム。
【請求項５】
ネットワークを介して、サーバと接続され、専用カバンに付されたＩＣタグの読取機能を有する端末であって、
前記専用カバンの入庫の際、入庫した前記専用カバンの管理番号のリストを読み取り、前記サーバに送信する手段と、
前記サーバから、入庫した前記専用カバンの管理番号のリストと入庫予定の前記専用カバンの前記管理番号のリストとを照合した結果を受信し、照合結果から過不足のある前記専用カバンの前記管理番号を表示する手段と、
を具備することを特徴とする端末。
【請求項６】
前記サーバから、前記専用カバンの出庫数、受取数、入庫数を受信し、全てが一致するかどうかを表示する手段、
を更に具備することを特徴とする請求項５に記載の端末。
【請求項７】
前記サーバから、前記専用カバンの前記管理番号ごとの出庫、受取、入庫の明細情報を受信し、前記専用カバンの前記管理番号ごとに出庫、受取、入庫が行われたかどうかを表示する手段、
を更に具備することを特徴とする請求項６に記載の端末。
【請求項８】
ネットワークを介して、専用カバンに付されたＩＣタグの読取機能を有する端末と接続されるサーバであって、
入庫した前記専用カバンの管理番号のリストと入庫予定の前記専用カバンの前記管理番号のリストとを照合する手段と、
照合結果を前記端末に送信する手段と、
を具備することを特徴とするサーバ。
【請求項９】
前記専用カバンが出庫されたことを示す出庫明細情報と、前記専用カバンを受取ったことを示す受取明細情報と、前記専用カバンが入庫されたことを示す入庫明細情報と、を保持する手段と、
前記出庫明細情報、前記受取明細情報、前記入庫明細情報から出庫数、受取数、入庫数を集計する手段と、
集計結果を前記端末に送信する手段と、
を更に具備することを特徴とする請求項８に記載のサーバ。
【請求項１０】
コンピュータを請求項５から請求項７までのいずれかに記載の端末として機能させるプログラム。
【請求項１１】
コンピュータを請求項８または請求項９に記載のサーバとして機能させるプログラム。
【発明の詳細な説明】
【技術分野】
【０００１】
本発明は、現金の集配送を管理するシステム等に関し、特にＩＣタグを用いた現金集配送管理システム等に関するものである。
【背景技術】
【０００２】
駅等の小売店等では、釣銭や売上金の集配送を現金集配送業者に委託し、現金管理の労力とリスクを低減している。委託された現金集配送業者では、現金集配送センタから各小売店に釣銭を配送するとともに、各小売店から売上金を集めて現金集配送センタで管理を行っている。
こうした現金の集配送を管理する仕組みとして、例えば特許文献１がある。特許文献１では、店舗の売上金が入金処理される売上金入金機と、売上金入金機に着脱可能に設置された現金カセットと、現金集配送センタ（特許文献１では現金処理センタ）に設置され、現金カセットを受け入れる現金カセット受入装置とを有するシステムが開示されている。そして、現金カセットにＩＣタグを貼付し、現金カセット受入装置にＩＣタグの情報読取部を備えることで、各店舗から現金処理センタに必要な釣銭準備金を注文できるようにしている。
【特許文献１】特開２００６−２４３９９１号公報
【発明の開示】
【発明が解決しようとする課題】
【０００３】
しかしながら、特許文献１に記載された仕組みでは、売上金入金機、現金カセット、現金カセット受入装置といった装置を設ける必要があり、システム導入には多大なコストがかかる。また、ＩＣタグの情報を読み取るために、現金カセットを１つ１つ現金カセット受入装置にセットする必要があり、時間がかかる。
一方、例えば、集配送する現金を小売店ごとに現金入れ専用カバンに入れて、専用カバン単位で管理する場合、既存の専用カバンを用いれば良いことから、コスト面の問題は解決できる。しかし、現金集配送センタに入庫された専用カバンの確認作業は時間がかかることには変わりがない。また、専用カバンが現金集配送センタに入庫される時間帯が重なると、確認作業における人的ミスも発生しやすい。
【０００４】
本発明は、前述した問題点に鑑みてなされたもので、その目的は低コストで導入することができ、人的ミスの発生を防止するとともに作業時間を減らすことができる現金集配送管理システム等を提供することである。
【課題を解決するための手段】
【０００５】
前述した目的を達成するために第１の発明は、少なくとも１つの端末とサーバとがネットワークに接続され、ＩＣタグが付された専用カバンとリーダライタとを用いて現金の集配送を管理する現金集配送管理システムであって、前記リーダライタは、前記ＩＣタグに前記専用カバンを一意に識別する管理番号を書き込む手段と、前記専用カバンの出庫の際、前記専用カバンに付された前記ＩＣタグを一括で読み取り、読み取った前記管理番号の件数と前記端末を介して前記サーバから取得した出庫予定個数が一致するかどうかを確認する手段と、を具備することを特徴とする現金集配送管理システムである。
【０００６】
第１の発明において、前記端末は、前記専用カバンの入庫の際、入庫した前記専用カバンの前記管理番号のリストを前記リーダライタから取得し、前記サーバに送信する手段、を具備し、前記サーバは、入庫した前記専用カバンの前記管理番号のリストと入庫予定の前記専用カバンの前記管理番号のリストとを照合する手段、を具備し、前記端末は、照合結果から過不足のある前記専用カバンの前記管理番号を表示する手段、を更に具備することが望ましい。
【０００７】
第１の発明において、前記サーバは、前記専用カバンが出庫されたことを示す出庫明細情報と、前記専用カバンを受取ったことを示す受取明細情報と、前記専用カバンが入庫されたことを示す入庫明細情報と、を保持する手段と、前記出庫明細情報、前記受取明細情報、前記入庫明細情報から出庫数、受取数、入庫数を集計する手段と、を具備し、前記端末は、前記出庫数、前記受取数、前記入庫数が全て一致するかどうかを表示する手段、を更に具備することが望ましい。
【０００８】
第１の発明において、前記端末は、前記専用カバンの前記管理番号ごとに出庫、受取、入庫が行われたかどうかを表示する手段、を更に具備することが望ましい。
【０００９】
第２の発明は、ネットワークを介して、サーバと接続され、専用カバンに付されたＩＣタグの読取機能を有する端末であって、前記専用カバンの入庫の際、入庫した前記専用カバンの管理番号のリストを読み取り、前記サーバに送信する手段と、前記サーバから、入庫した前記専用カバンの管理番号のリストと入庫予定の前記専用カバンの前記管理番号のリストとを照合した結果を受信し、照合結果から過不足のある前記専用カバンの前記管理番号を表示する手段と、を具備することを特徴とする端末である。
専用カバンに付されたＩＣタグの読取機能は、リーダライタを介して実現される。
【００１０】
第２の発明において、前記サーバから、前記専用カバンの出庫数、受取数、入庫数を受信し、全てが一致するかどうかを表示する手段、を更に具備することが望ましい。
【００１１】
第２の発明において、前記サーバから、前記専用カバンの前記管理番号ごとの出庫、受取、入庫の明細情報を受信し、前記専用カバンの前記管理番号ごとに出庫、受取、入庫が行われたかどうかを表示する手段、を更に具備することが望ましい。
【００１２】
第３の発明は、ネットワークを介して、専用カバンに付されたＩＣタグの読取機能を有する端末と接続されるサーバであって、入庫した前記専用カバンの管理番号のリストと入庫予定の前記専用カバンの前記管理番号のリストとを照合する手段と、照合結果を前記端末に送信する手段と、を具備することを特徴とするサーバである。
【００１３】
第３の発明において、前記専用カバンが出庫されたことを示す出庫明細情報と、前記専用カバンを受取ったことを示す受取明細情報と、前記専用カバンが入庫されたことを示す入庫明細情報と、を保持する手段と、前記出庫明細情報、前記受取明細情報、前記入庫明細情報から出庫数、受取数、入庫数を集計する手段と、集計結果を前記端末に送信する手段と、を更に具備することが望ましい。
【００１４】
第４の発明は、コンピュータを請求項５から請求項７までのいずれかに記載の端末として機能させるプログラムである。
【００１５】
第５の発明は、コンピュータを請求項８または請求項９に記載のサーバとして機能させるプログラムである。
【発明の効果】
【００１６】
本発明により、低コストで導入することができ、人的ミスの発生を防止するとともに作業時間を減らすことができる現金集配送管理システム等を提供することができる。
【発明を実施するための最良の形態】
【００１７】
以下図面に基づいて、本発明の実施形態を詳細に説明する。
【００１８】
図１は、本発明の実施の形態に係る現金集配送管理業務の概略を示す図である。
図１に示すように、現金集配送管理業務は、現金集配送センタ２において、事前準備１０１の処理が行われ、専用カバン４に配送先を示す宛名札７が付される。専用カバン４とは、現金入れ専用カバンである。そして、集配送車９に専用カバン４を積み込む際に出庫１０２の処理が行われ、小売店３に専用カバン４を配送する際に受渡し１０３の処理が行われる。一方、小売店３から専用カバン４を回収する際に受取り１０４の処理が行われ、集配送車９から専用カバン４を降ろす際に入庫１０５の処理が行われる。更に、現金集配送センタ２において、端末１１を用いて検索１０６の処理が行われる。
【００１９】
図２は、宛名札７を示す図である。
図２に示すように、宛名札７はバーコード付宛名印刷物６とＩＣタグ５とを貼り合わせてラミネート加工したものである。バーコード付宛名印刷物６には、専用カバン４を配送する宛名、専用カバン４を一意に識別する管理番号としての管理Ｎｏ、管理Ｎｏを示すバーコードが印字されている。ＩＣタグ５には、バーコードと同様の情報が書き込まれている。
【００２０】
図３は、本発明の実施の形態に係る現金集配送管理システム１の概略構成を示す図である。
図３は、現金集配送管理システム１の１例であり、図３に示すように、ＩＣタグ５が付された専用カバン４、端末１１、サーバ１３、リーダライタ１５、プリンタ１７等で構成されており、必要に応じてネットワーク１９を介して接続される。ネットワーク１９は、インターネット、ローカルエリアネットワーク（ＬＡＮＮ）等であり、有線、無線は問わない。
【００２１】
専用カバン４は現金入れ専用カバンであり、集配送車９に積載されて現金集配送センタ２と各小売店３を往来する。
【００２２】
端末１１はコンピュータであり、ネットワーク１９に接続され、リーダライタ１５とデータの送受信ができるインタフェースを備える。
【００２３】
サーバ１３はコンピュータであり、ネットワーク１９に接続され、現金集配送管理に係るデータベースを備える。
【００２４】
リーダライタ１５はＩＣタグ５の読み取りと書き込みを行う装置であり、持ち運びが可能である。
【００２５】
プリンタ１７は印刷装置であり、ネットワーク１９に接続され、端末１１またはサーバ１３からの印刷指示に従って印刷を行う。
【００２６】
次に、図４から図６までを参照しながら、各種機器のハードウェア構成を説明する。
【００２７】
図４は、端末１１のハードウェア構成図である。尚、サーバ１３も同様の構成である。
端末１１は、制御部２１、記憶部２２、メディア入出力部２３、通信制御部２４、入力部２５、表示部２６、周辺機器Ｉ／Ｆ（インタフェース）部２７が、バス２８を介して接続されて構成される。
【００２８】
制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部２２、ＲＯＭ、記憶媒体等に格納されるプログラムをＲＡＭのワークメモリ領域に呼び出して実行し、バス２８を介して接続された各装置を駆動制御する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２９】
記憶部２２は、ＨＤＤ（ハードディスクドライブ）であり、制御部２１が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部２１により必要に応じて読み出されてＲＡＭに移され、ＣＰＵに読み出されて各種の手段として実行される。
【００３０】
メディア入出力部２３（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００３１】
通信制御部２４は、通信制御装置、通信ポート等を有し、サーバ７とネットワーク間の通信を媒介する通信インタフェースであり、ネットワーク１９を介して、端末１１と、他のコンピュータ間の通信制御を行う。
【００３２】
入力部２５は、データの入力を行い、例えば、キーボード、マウス等のポインティングデバイス、テンキー、タッチパネル等の入力装置を有する。
入力部２５を介して、端末１１に対して、操作指示、動作指示、データ入力等を行うことができる。
【００３３】
表示部２６は、ＣＲＴモニタ、液晶パネル等のディスプレイ装置、ディスプレイ装置と連携してコンピュータのビデオ機能を実現するための論理回路等（ビデオアダプタ等）を有する。
【００３４】
周辺機器Ｉ／Ｆ（インタフェース）部２７は、コンピュータに周辺機器を接続させるためのポートであり、周辺機器Ｉ／Ｆ部２７を介してコンピュータは周辺機器とのデータの送受信を行う。周辺機器Ｉ／Ｆ部２７は、ＵＳＢ、ＩＥＥＥ１３９４、ＲＳ−２３２Ｃ等で構成されており、通常複数の周辺機器Ｉ／Ｆを有する。周辺機器との接続形態は有線、無線を問わない。
【００３５】
バス２８は、各装置間の制御信号、データ信号等の授受を媒介する経路である。
【００３６】
図５は、リーダライタ１５のハードウェア構成図である。
リーダライタ１５は、制御部３１、電源部３２、入力部３３、表示部３４、バーコードスキャナ部３５、外部機器入出力部３６、通信部３７、アンテナ３８等から構成される。
【００３７】
制御部３１は、プログラムの実行を行うＣＰＵと、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部３１は、リーダライタ１５全体を制御する。
【００３８】
電源部３２は、リーダライタ１５を駆動する電力を供給する。
【００３９】
入力部３３は、データの入力を行い、例えば、テンキー、タッチパネル等の入力装置を有する。入力部３３を介して、リーダライタ１５に対して、操作指示、動作指示、データ入力等を行うことができる。
【００４０】
表示部３４は、液晶パネル等のディスプレイ装置を有する。
【００４１】
バーコードスキャナ部３５は、バーコード情報の読取を制御する。
【００４２】
外部機器入出力部３６は、外部機器へのデータの送受信を制御する。外部機器入出力部３６は、ＵＳＢまたはＲＳ−２３２Ｃ等で構成されている。
【００４３】
通信部３７は、データの変調、復調を行い、アンテナ３８を介してＩＣタグ５との無線通信を制御する。
【００４４】
図６は、ＩＣタグ５のハードウェア構成図である。
ＩＣタグ５は、メモリ４１、アンテナ４２等から構成される。
【００４５】
メモリ４１は、データを格納するためのＲＡＭ（Ｒａｎｄｏｍ  Ａｃｃｅｓｓ  Ｍｅｍｏｒｙ）から構成される。ＩＣタグ５は、アンテナ４２を介してリーダライタ１５との無線通信を行う。
【００４６】
次に、図７から図１１までを参照しながら、サーバ１３が保持するデータベースについて説明する。
【００４７】
図７は、専用カバン情報５１の１例を示す図である。
専用カバン情報５１は、専用カバン４の詳細情報である。図７に示すように、専用カバン情報５１は、管理Ｎｏ５２、配送先Ｎｏ５３、社員Ｎｏ５４、出庫予定日５５、入庫予定日５６等を有し、管理Ｎｏ５２が主キーである。
管理Ｎｏ５２は、専用カバン４を一意に識別する管理番号である。
配送先Ｎｏ５３は、配送先を一意に識別する番号である。
社員Ｎｏ５４は、社員を一意に識別する番号である。
出庫予定日５５は、専用カバン４を出庫する予定の年月日である。
入庫予定日５６は、専用カバン４を入庫する予定の年月日である。
【００４８】
図８は、出庫明細情報６１の１例を示す図である。
以下、図７に示す構成要素と同一の要素には、同一の番号を付して重複した説明を避ける。
出庫明細情報６１は、専用カバン４を出庫したことを示す履歴情報である。図８に示すように、出庫明細情報６１は、管理Ｎｏ５２、出庫日６２、社員Ｎｏ５４等を有し、管理Ｎｏ５２が主キーである。
出庫日６２は、専用カバン４を出庫した年月日である。
【００４９】
図９は、受取明細情報７１の１例を示す図である。
受取明細情報７１は、専用カバン４を受け取ったことを示す履歴情報である。図９に示すように、受取明細情報７１は、管理Ｎｏ５２、受取日７２、社員Ｎｏ５４等を有し、管理Ｎｏ５２が主キーである。
受取日７２は、専用カバン４を受け取った年月日である。
【００５０】
図１０は、入庫明細情報８１の１例を示す図である。
入庫明細情報８１は、専用カバン４を入庫したことを示す履歴情報である。図１０に示すように、入庫明細情報８１は、管理Ｎｏ５２、入庫日８２、社員Ｎｏ５４等を有し、管理Ｎｏ５２が主キーである。
入庫日８２は、専用カバン４を受け取った年月日である。
【００５１】
図１１は、配送先情報９１の１例を示す図である。
配送先情報９１は、専用カバン４を配送する店舗のマスタ情報である。図１１に示すように、配送先情報９１は、配送先Ｎｏ５３、店舗名称９２、駅名９３、営業委託先９４、配送コース９５等を有し、配送先Ｎｏ５３が主キーである。
店舗名称９２は、配送先の店舗の名称である。
駅名９３は、配送先の店舗がある駅の名称である。
営業委託先９４は、配送先の店舗の営業を委託している会社名である。
配送コース９５は、集配送車９が配送するコースであり、例えば、電車の路線である。
【００５２】
次に、図１２から図１９までを参照しながら、図１に示した各種処理における現金集配送管理システム１の動作の詳細について説明する。
【００５３】
[事前準備１０１]
図１２は、リーダライタ１５に表示される事前準備処理の画面遷移の１例を示す図である。
まず、端末１１から専用カバン４の情報が入力されると、入力された情報はサーバ１３が専用カバン情報５１として保持し、端末１１はプリンタ１７にバーコード付宛名印刷物６の印刷指示を行う。
【００５４】
次に、リーダライタ１５の表示部３４に表示されるメニュー画面（図示せず）から＜紐付け＞が選択されると、図１２に示すように、リーダライタ１５の制御部３１は、表示部３４に「宛名札バーコード読取」のメッセージを表示する（２０１）。そして、リーダライタ１５が印刷されたバーコード付宛名印刷物６のバーコードにかざされると、リーダライタ１５のバーコードスキャナ部３５は、バーコードの情報を読み取る。ここで、バーコードの情報は、専用カバン４の管理Ｎｏ５２である。図１２に示す例では、管理Ｎｏ５２は「０００１」である。
【００５５】
次に、リーダライタ１５の制御部３１は、表示部３４に「ＩＣタグ書込み」のメッセージを表示する（２０２）。そして、リーダライタ１５がＩＣタグ５にかざされると、リーダライタ１５の制御部３１は、通信部３７を介してＩＣタグ５のメモリ４１に読み取ったバーコードの情報を書き込む。
【００５６】
次に、リーダライタ１５の制御部３１は、表示部３４に「完了しました。管理Ｎｏ：０００１」のメッセージを表示する（２０３）。
以上の処理を準備が必要な全ての専用カバン４に対して行うことによって、事前準備の処理が完了する。
【００５７】
[出庫１０２]
図１３は、リーダライタ１５に表示される出庫処理の画面遷移の１例を示す図である。
まず、リーダライタ１５の表示部３４に表示されるメニュー画面（図示せず）から＜専用カバンの出庫＞が選択されると、リーダライタ１５の制御部３１は、表示部３４に社員Ｎｏ５４の入力を促すメッセージを表示する（図示せず）。そして、リーダライタ１５の入力部３３を介して社員Ｎｏ５４が入力されると、リーダライタ１５の制御部３１は、表示部３４に「社員Ｎｏ：９９９９９９」のメッセージを表示する（３０１）。尚、図１３に示す例では、入力された社員Ｎｏ５４は「９９９９９９」である。
【００５８】
次に、リーダライタ１５の制御部３１は、表示部３４に「ＩＣタグ読取」のメッセージを表示する（３０２）。そして、リーダライタ１５がＩＣタグ５にかざされると、リーダライタ１５の制御部３１は、通信部３７を介してＩＣタグ５のメモリ４１から管理Ｎｏ５２を読み取り、読取件数を算出する。
【００５９】
次に、リーダライタ１５の制御部３１は、表示部３４に「管理Ｎｏ：０００１／読取件数：１」のメッセージを表示する（３０３）。
以上の処理を出庫する全ての専用カバン４に対して行うことによって、出庫の処理が行われる。尚、社員Ｎｏ５４の入力は、２件目から省略可能である。また、以上の処理では、ＩＣタグ５の一括読取を行うことができる。
全ての専用カバン４に対しＩＣタグの読取が完了すると、出庫個数チェックが行われる。
【００６０】
図１４は、出庫処理におけるリーダライタ１５の動作の詳細を示すフローチャートである。
図１４に示すように、リーダライタ１５は、端末１１を介してサーバ１３から出庫予定個数を取得する（Ｓ４０１）。ここで、出庫予定個数とは、社員Ｎｏ５４と出庫予定日５５とをキーとして検索した専用カバン情報５１のデータ件数である。また、配送先ごとに出庫予定個数のチェックを行う場合、更に配送先Ｎｏ５３をキーに含めても良い。
【００６１】
次に、リーダライタ１５は、専用カバン４のＩＣタグ５の読取を行い（Ｓ４０２）、読取件数を加算する（Ｓ４０３）。そして、リーダライタ１５は、全ての専用カバン４について処理が終了したかどうか確認する（Ｓ４０４）。
処理が終了していない場合、Ｓ４０２から繰り返す。
処理が終了している場合、Ｓ４０５に進む。
【００６２】
次に、リーダライタ１５は、出庫予定個数と読取件数が一致するかどうか確認する（Ｓ４０５）。
一致する場合、処理を終了する。
一致しない場合、リーダライタ１５は、ＩＣタグの読取を行っていない専用カバン４がないかどうかの確認を促すメッセージを表示し（Ｓ４０６）、処理を終了する。
以上の処理によって、専用カバン４の出庫漏れがないかどうかをチェックすることができる。
尚、リーダライタ１５が取得した情報は、例えば、１日の作業が終了した後、リーダライタ１５から端末１１に一括して送信し、端末１１からサーバ１３に送信する。そして、サーバ１３は、出庫明細情報６１として保持する。
【００６３】
[受渡し１０３]
小売店３への専用カバン４の受渡しでは、所定の伝票に記入を行う。伝票には、例えば、配送先の店舗名称、配送日、配送した専用カバン４の個数等を記入する。
【００６４】
[受取り１０４]
図１５は、リーダライタ１５に表示される受取り処理の画面遷移の１例を示す図である。
まず、リーダライタ１５の表示部３４に表示されるメニュー画面（図示せず）から＜専用カバンの受取＞が選択されると、リーダライタ１５の制御部３１は、表示部３４に社員Ｎｏ５４の入力を促すメッセージを表示する（図示せず）。そして、リーダライタ１５の入力部３３を介して社員Ｎｏ５４が入力されると、リーダライタ１５の制御部３１は、表示部３４に「社員Ｎｏ：９９９９９９」のメッセージを表示する（５０１）。尚、図１５に示す例では、入力された社員Ｎｏ５４は「９９９９９９」である。
【００６５】
次に、リーダライタ１５の制御部３１は、表示部３４に「ＩＣタグ読取」のメッセージを表示する（５０２）。そして、リーダライタ１５がＩＣタグ５にかざされると、リーダライタ１５の制御部３１は、通信部３７を介してＩＣタグ５のメモリ４１から管理Ｎｏ５２を読み取り、読取件数を算出する。
【００６６】
次に、リーダライタ１５の制御部３１は、表示部３４に「管理Ｎｏ：０００１／読取件数：１」のメッセージを表示する（５０３）。
以上の処理を小売店３から受け取る全ての専用カバン４に対して行うことによって、受取りの処理が行われる。尚、社員Ｎｏ５４の入力は、２件目から省略可能である。また、以上の処理では、ＩＣタグ５の一括読取を行うことができる。
尚、リーダライタ１５が取得した情報は、例えば、１日の作業が終了した後、リーダライタ１５から端末１１に一括して送信し、端末１１からサーバ１３に送信する。そして、サーバ１３は、受取明細情報７１として保持する。
【００６７】
[入庫１０５]
図１６は、リーダライタ１５に表示される入庫処理の画面遷移の１例を示す図である。
まず、リーダライタ１５の表示部３４に表示されるメニュー画面（図示せず）から＜専用カバンの入庫＞が選択されると、リーダライタ１５の制御部３１は、表示部３４に社員Ｎｏ５４の入力を促すメッセージを表示する（図示せず）。そして、リーダライタ１５の入力部３３を介して社員Ｎｏ５４が入力されると、リーダライタ１５の制御部３１は、表示部３４に「社員Ｎｏ：９９９９９９」のメッセージを表示する（６０１）。尚、図１６に示す例では、入力された社員Ｎｏ５４は「９９９９９９」である。
【００６８】
次に、リーダライタ１５の制御部３１は、表示部３４に「ＩＣタグ読取」のメッセージを表示する（６０２）。そして、リーダライタ１５がＩＣタグ５にかざされると、リーダライタ１５の制御部３１は、通信部３７を介してＩＣタグ５のメモリ４１から管理Ｎｏ５２を読み取り、読取件数を算出する。
【００６９】
次に、リーダライタ１５の制御部３１は、表示部３４に「管理Ｎｏ：０００１／読取件数：１」のメッセージを表示する（６０３）。
以上の処理を入庫する全ての専用カバン４に対して行うことによって、入庫の処理が行われる。尚、社員Ｎｏ５４の入力は、２件目から省略可能である。また、以上の処理では、ＩＣタグ５の一括読取を行うことができる。
全ての専用カバン４に対しＩＣタグ５の読取が完了すると、入庫個数のチェックが行われる。
【００７０】
図１７は、入庫処理における端末１１とサーバ１３の動作の詳細を示すフローチャートである。
図１７に示すように、端末１１は、リーダライタ１５から入庫した専用カバン４の管理Ｎｏ５２のリストを取得する（Ｓ７０１）。次に、端末１１は、入庫した専用カバン４の管理Ｎｏ５２のリストをサーバ１３に送信する（Ｓ７０２）。
【００７１】
次に、サーバ１３は、入庫予定の専用カバン４の管理Ｎｏ５２のリストを取得する（Ｓ７０３）。ここで、入庫予定の専用カバン４の管理Ｎｏ５２のリストとは、例えば、社員Ｎｏ５４と入庫予定日５６とをキーとして検索した専用カバン情報５１の管理Ｎｏ５２のリストである。また、全ての社員分をまとめて照合する場合、社員Ｎｏ５４をキーに含めなくても良い。そして、サーバ１３は、入庫した専用カバン４の管理Ｎｏ５２のリストと入庫予定の専用カバン４の管理Ｎｏ５２のリストとを照合し（Ｓ７０４）、照合結果を端末１１に送信する（Ｓ７０５）。
【００７２】
次に、端末１１は、照合結果に過不足があるかどうか確認する（Ｓ７０６）。
過不足がある場合、端末１１は、過不足の対象である専用カバン４の管理Ｎｏ５２を表示し（Ｓ７０７）、処理を終了する。
過不足がない場合、端末１１は、「入庫ＯＫ」のメッセージを表示し（Ｓ７０８）、処理を終了する。
以上の処理によって、専用カバン４の入庫漏れがないかどうかをチェックすることができる。
尚、リーダライタ１５が取得した情報は、例えば、１日の作業が終了した後、リーダライタ１５から端末１１に一括して送信し、端末１１からサーバ１３に送信する。そして、サーバ１３は、入庫明細情報８１として保持する。
【００７３】
[検索１０６]
図１８は、端末１１に表示される専用カバンの授受検索画面の１例を示す図である。
図１８に示すように、専用カバンの授受検索画面は、検索条件を入力する領域１００１、検索結果を表示する領域１００７、詳細確認ボタン１０１６等から構成される。
図１８は、コース条件が「Ａ線」、駅名条件が「条件なし（空欄）」、状態条件が「全て」によってサーバ１３が保持する専用カバン情報５１等を検索し、検索結果を表示したものである。
【００７４】
検索条件を入力する領域１００１は、コース条件を入力するプルダウンメニュー１００２、駅名条件を入力するプルダウンメニュー１００３、状態条件を入力するプルダウンメニュー１００４、検索ボタン１００５、条件クリアボタン１００６等を有する。
コース条件を入力するプルダウンメニュー１００２は、専用カバン４の配送コースとなる路線を入力するものである。
駅名条件を入力するプルダウンメニュー１００３は、配送先の店舗の駅を入力するものである。
状態条件を入力するプルダウンメニュー１００４は、専用カバン４の出庫数、受取数、入庫数の全てが一致するかどうかの状態を入力するものであり、「全て」、「一致」、「不一致」のいずれかが選択可能である。
検索ボタン１００５は、入力された条件による検索を指示するものである。
条件クリアボタン１００６は、入力された条件を初期状態に戻すことを指示するものである。
【００７５】
検索結果を表示する領域１００７は、出庫日１００８、駅名１００９、店舗名称１０１０、営業委託先１０１１、出庫数１０１２、受取数１０１３、入庫数１０１４、状態１０１５等の表示項目を有する。
検索結果の１行分は、出庫日１００８と配送先Ｎｏ５３が同一のデータを集約したものであり、出庫日１００８は出庫明細情報６１、駅名１００９、店舗名称１０１０、営業委託先１０１１は配送先情報９１から取得して表示する。すなわち、検索結果の１行分は、専用カバン情報５１と出庫明細情報６１とを両方の主キーである管理Ｎｏ５２で内部結合し、配送先情報９１を配送先Ｎｏ５３で外部結合し、専用カバン情報５１の配送先Ｎｏ５３と出庫明細情報６１の出庫日６２とを集約キーとして集約したものを表示している。尚、検索キーは入力された検索条件によって異なるが、図１８に示す例では、配送先情報９１の配送コース９５が検索キーとなる。
出庫数１０１２は、検索された専用カバン情報５１と出庫明細情報６１とを管理Ｎｏ５２で結合し、専用カバン情報５１の配送先Ｎｏ５３を集計キーとして集計したときのレコード数である。
受取数１０１３は、検索された専用カバン情報５１と受取明細情報７１とを管理Ｎｏ５２で結合し、専用カバン情報５１の配送先Ｎｏ５３を集計キーとして集計したときのレコード数である。
入庫数１０１４は、検索された専用カバン情報５１と入庫明細情報８１とを管理Ｎｏ５２で結合し、専用カバン情報５１の配送先Ｎｏ５３と入庫明細情報８１の入庫日８２とを集計キーとして集計したときのレコード数である。
状態１０１５は、出庫数１０１２、受取数１０１３、入庫数１０１４が全て一致する場合は「一致」、いずれかが一致しない場合は「不一致」となる。
【００７６】
詳細確認ボタン１０１６は、検索結果を表示する領域１００７から選択された１行分の詳細確認画面の表示を指示するものである。
【００７７】
以上のように、専用カバンの授受検索画面では、配送先Ｎｏ５３と出庫日６２ごとに専用カバン４の出庫数、受取数、入庫数が表示され、専用カバン４の授受が正しく行われているかどうかを確認することができる。
【００７８】
図１９は、端末１１に表示される詳細確認画面の１例を示す図である。
図１９に示すように、詳細確認画面は、共通情報を表示する領域１１０１、詳細情報を表示する領域１１０６等から構成される。
図１９に示す例は、図１８において検索結果の上から２件目を選択し、詳細確認ボタン１０１６を押下したときに表示される詳細確認画面である。
【００７９】
共通情報を表示する領域１１０１は、出庫日１１０２、駅名１１０３、店舗名称１１０４、営業委託先１１０５等の表示項目を有する。これらの表示項目は、図１８に示される出庫日１００８、駅名１００９、店舗名称１０１０、営業委託先１０１１と同様である。
【００８０】
詳細情報を表示する領域１１０６は、管理Ｎｏ１１０７、出庫１１０８、受取１１０９、入庫１１１０、状態１１１１等の表示項目を有する。詳細情報は、専用カバン情報５１と出庫明細情報６１とを管理Ｎｏ５２で内部結合し、専用カバン情報５１の配送先Ｎｏ５３と出庫明細情報６１の出庫日６２とを検索キーとして検索して表示したものである。
管理Ｎｏ１１０７は、専用カバン情報５１または出庫明細情報６１から取得して表示する。
出庫１１０８は、出庫明細情報６１に該当する管理Ｎｏ５２のレコードが存在する場合は「○」、存在しない場合は「×」を表示する。
受取１１０９は、受取明細情報７１に該当する管理Ｎｏ５２のレコードが存在する場合は「○」、存在しない場合は「×」を表示する。
入庫１１１０は、入庫明細情報８１に該当する管理Ｎｏ５２のレコードが存在する場合は「○」、存在しない場合は「×」を表示する。
状態１１１１は、出庫１１０８、受取１１０９、入庫１１１０の３つが全て「○」の場合は「一致」、いずれかが「×」の場合は「不一致」を表示する。
【００８１】
以上のように、詳細確認画面では、管理Ｎｏ５２ごとに出庫、受取、入庫が行われたかどうかが表示され、専用カバン４の授受がどこまで行われたかを詳細に確認することができる。
【００８２】
以上、詳細に説明したように、本発明の実施の形態によれば、専用カバン４の出庫の際は、リーダライタ１５は出庫した専用カバン４のＩＣタグ５の一括読取を行う。このことによって、専用カバン４の出庫の作業時間を減らすことができる。また、リーダライタ１５は出庫予定個数と読取件数が一致するかどうか確認する。このことによって、専用カバン４の出庫漏れがないかどうかをチェックすることができる。
【００８３】
また、専用カバン４の入庫の際は、リーダライタ１５は入庫した専用カバン４のＩＣタグ５の一括読取を行う。このことによって、専用カバン４の入庫の作業時間を減らすことができる。また、サーバ１３は入庫した専用カバン４の管理Ｎｏ５２のリストと入庫予定の専用カバン４の管理Ｎｏ５２のリストとを照合し、端末１１は照合結果から過不足のある専用カバン４の管理Ｎｏ５２を表示する。このことによって、専用カバン４の入庫漏れがないかどうかをチェックすることができる。
【００８４】
また、専用カバン４の授受の検索の際は、サーバ１３は配送先Ｎｏ５３と出庫日６２ごとに専用カバン４の出庫数、受取数、入庫数を集計し、端末１１は集計結果と、出庫数、受取数、入庫数が全て一致するかどうかを表示する。このことによって、専用カバン４の授受が正しく行われているかどうかを確認することができる。また、詳細確認の際は、端末１１は専用カバン４の管理Ｎｏ５２ごとに出庫、受取、入庫が行われたかどうかを表示する。このことによって、専用カバン４の授受がどこまで行われたかを詳細に確認することができる。
【００８５】
尚、サーバ１３が保持するデータベースは、図７から図１１までに示されたテーブル設計に限定されない。データベースのテーブル設計は、処理速度やデータ量等を考慮して行われるものであり、同様の情報を保持することができれば、どのようなテーブル設計であっても良い。
【００８６】
また、検索画面は、図１８に示された画面設計に限定されない。図１８に示された例では、検索結果は出庫日と配送先ごとに集計して表示しているが、出庫日と駅名ごとに集計して表示しても良いし、検索結果の表示項目に配送コースを追加して出庫日と配送コースごとに集計して表示しても良い。
【００８７】
以上、添付図面を参照しながら、本発明に係る現金集配送管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８８】
【図１】現金集配送管理業務の概略を示す図
【図２】宛名札７を示す図
【図３】現金集配送管理システム１の概略構成を示す図
【図４】端末１１のハードウェア構成図
【図５】リーダライタ１５のハードウェア構成図
【図６】ＩＣタグ５のハードウェア構成図
【図７】専用カバン情報５１の１例を示す図
【図８】出庫明細情報６１の１例を示す図
【図９】受取明細情報７１の１例を示す図
【図１０】入庫明細情報８１の１例を示す図
【図１１】配送先情報９１の１例を示す図
【図１２】リーダライタ１５に表示される事前準備処理の画面遷移の１例を示す図
【図１３】リーダライタ１５に表示される出庫処理の画面遷移の１例を示す図
【図１４】出庫処理におけるリーダライタ１５の動作の詳細を示すフローチャート
【図１５】リーダライタ１５に表示される受取り処理の画面遷移の１例を示す図
【図１６】リーダライタ１５に表示される入庫処理の画面遷移の１例を示す図
【図１７】入庫処理における端末１１とサーバ１３の動作の詳細を示すフローチャート
【図１８】端末１１に表示される検索画面の１例を示す図
【図１９】端末１１に表示される詳細確認画面の１例を示す図
【符号の説明】
【００８９】
１………現金集配送管理システム
２………現金集配送センタ
３………小売店
４………専用カバン
５………ＩＣタグ
６………バーコード付宛名印刷物
７………宛名札
９………集配送車
１１………端末
１３………サーバ
１５………リーダライタ
１７………プリンタ
１９………ネットワーク
５１………専用カバン情報
６１………出庫明細情報
７１………受取明細情報
８１………入庫明細情報
９１………配送先情報
【図１】
2008242560.tif 000003
【図２】
2008242560.tif 000004
【図３】
2008242560.tif 000005
【図４】
2008242560.tif 000006
【図５】
2008242560.tif 000007
【図６】
2008242560.tif 000008
【図７】
2008242560.tif 000009
【図８】
2008242560.tif 000010
【図９】
2008242560.tif 000011
【図１０】
2008242560.tif 000012
【図１１】
2008242560.tif 000013
【図１２】
2008242560.tif 000014
【図１３】
2008242560.tif 000015
【図１４】
2008242560.tif 000016
【図１５】
2008242560.tif 000017
【図１６】
2008242560.tif 000018
【図１７】
2008242560.tif 000019
【図１８】
2008242560.tif 000020
【図１９】
2008242560.tif 000021